(57)【要約】【課題】マルチビュー表示可能な画像表示装置において各表示画像の鑑賞者ごとに異なる情報を送信すること。【解決手段】画像表示装置１００は、取得部１０１によって表示部１０４に表示させる画像と、当該画像の関連情報とを取得する。取得された関連情報は、変換部１０２によって可視光通信用の信号に変換される。表示部１０４は、取得部１０１によって取得した画像を表示面に対して所定の角度の表示光で表示させ、制御部１０３は、変換部１０２によって変換された信号に応じて表示部１０４の表示光の制御をおこない、可視光通信用の信号を送信させる。【選択図】図１
2008046214.tif 000002
【特許請求の範囲】
【請求項１】
表示面に対する視点の角度に応じて異なる画像を表示させるマルチビュー表示が可能な画像表示装置であって、
送信用の情報を取得する取得手段と、
前記取得手段によって取得した前記送信用の情報を可視光通信用の信号に変換する変換手段と、
前記表示面に対して所定の角度で表示光を発光させる表示手段と、
前記変換手段によって変換された前記信号に応じて前記表示光の発光制御をおこない、前記信号を送信させる制御手段と、
を備えることを特徴とする画像表示装置。
【請求項２】
前記取得手段は、前記表示手段に表示させる画像と、当該画像の関連情報とを取得し、
前記変換手段は、前記取得手段によって取得した前記関連情報を可視光通信用の信号に変換し、
前記表示手段は、前記取得手段によって取得した画像を前記表示面に対して所定の角度の表示光で表示させ、
前記制御手段は、前記変換手段によって変換された前記信号に応じて前記表示光の制御をおこない、前記信号を送信させることを特徴とする請求項１に記載の画像表示装置。
【請求項３】
前記表示手段とは異なる角度で表示光を発光させる他の表示手段を備え、
前記取得手段は、前記他の表示手段に表示させる画像と、当該画像の関連情報とを取得し、
前記他の表示手段は、前記取得手段によって取得した画像を前記表示面に対して前記表示手段とは異なる角度の表示光で表示させ、
前記制御手段は、前記変換手段によって変換された前記信号に応じて前記表示光の制御をおこない、前記信号を送信させることを特徴とする請求項２に記載の画像表示装置。
【請求項４】
前記取得手段は、
前記画像に対応する音声情報を前記関連情報として取得することを特徴とする請求項２または３に記載の画像表示装置。
【請求項５】
前記取得手段によって取得した前記画像からテキスト情報を抽出する抽出手段を備え、
前記変換手段は、前記抽出手段によって抽出されたテキスト情報を関連情報として可視光通信用の信号に変換することを特徴とする請求項２または３に記載の画像表示装置。
【請求項６】
前記表示手段および前記他の表示手段を車載用モニタとし、
前記取得手段は、
運転席の搭乗者に向けた画像および当該画像の関連情報と、助手席の搭乗者に向けた画像および当該画像の関連情報とを取得し、
前記表示手段は、前記運転席の搭乗者に向けた画像を前記表示面に対して所定の角度の表示光で表示させ、
前記他の表示手段は、助手席の搭乗者に向けた画像を前記表示面に対して前記表示手段とは異なる角度の表示光で表示させることを特徴とする請求項３〜５のいずれか一つに記載の画像表示装置。
【請求項７】
前記取得手段は、運転席の搭乗者に向けたルート案内画像を取得するとともに、前記ルート案内画像の音声ガイド情報を関連情報として取得することを特徴とする請求項６に記載の画像表示装置。
【請求項８】
表示面に対する視点の角度に応じて異なる画像を表示させるマルチビュー表示が可能な画像表示装置の画像表示方法であって、
送信用の情報を取得する取得工程と、
前記取得工程によって取得した前記送信用の情報を可視光通信用の信号に変換する変換工程と、
前記変換工程によって変換された前記信号に応じて、前記表示面に対して所定の角度で表示光が発光するように発光制御し、前記信号を送信させる送信工程と、
を含むことを特徴とする画像表示方法。
【請求項９】
請求項８に記載の画像表示方法をコンピュータに実行させることを特徴とする画像表示プログラム。
【請求項１０】
請求項９に記載の画像表示プログラムをコンピュータに読み取り可能に記録する記録媒体。
【発明の詳細な説明】
【技術分野】
【０００１】
この発明は、表示面に対する視点の角度に応じて異なる画像を表示させるマルチビュー表示が可能な画像表示装置、画像表示方法、画像表示プログラムおよび記録媒体に関する。ただし、この発明の利用は、前述の画像表示装置、画像表示方法、画像表示プログラムおよび記録媒体に限るものではない。
【背景技術】
【０００２】
従来、表示面に対する視点の角度に応じて複数の画像を表示させるいわゆるマルチビュー（デュアルビュー）表示機能を備えたマルチビューディスプレイが開発されている。このようなマルチビュー表示が可能な画像表示装置は、たとえば、表示面を右方向から観た場合と、左方向から観た場合とでは異なる画像が表示させることができる。
【０００３】
また、近年は、上述のようなマルチビュー表示が可能な画像表示装置を利用する際のユーザインターフェースも開発されている。たとえば、タッチパネル機能を備えたマルチビューディスプレイに同時に２種類の画像の表示がおこなわれている場合、鑑賞者による表示面へのタッチ操作が表示されているいずれの画像に対して有効であるかの判断をする表示装置が開示されている（たとえば、下記特許文献１参照。）。
【０００４】
具体的には、上述の表示装置において、マルチビュー表示をおこなうタッチパネルに視聴者Ａタッチ専用エリアおよび視聴者Ｂタッチ専用エリアをそれぞれ設ける。タッチパネルによってタッチ検出がおこなわれ、タッチ位置検出回路からタッチ位置の座標データが出力されると、制御ＣＰＵにより、タッチ位置の座標データに基づき、視聴者Ａタッチ専用エリアまたは視聴者Ｂタッチ専用エリアのいずれがタッチされたかの判断がおこなわれる。この判断結果を用いて、タッチされた視聴者Ａタッチ専用エリアまたは視聴者Ｂタッチ専用エリアに対応する映像を認識して表示動作を制御する。
【０００５】
【特許文献１】特開２００５−７１２８６号公報
【発明の開示】
【発明が解決しようとする課題】
【０００６】
上述したようなマルチビュー表示が可能な画像表示装置は、表示面に対する視点の角度に応じて複数の画像を表示させる、すなわち指向性をもった表示をおこなうことができる。また、特許文献１に記載された表示装置は、各画像の鑑賞者から入力（タッチ操作）を受け付けることができる。
【０００７】
しかしながら、従来の画像表示装置は、各画像の鑑賞者に対して音声情報など、あらたな情報を出力する場合、各画像ごとに音声情報を取得して出力端子から出力させる構成としなければならず、マルチビュー表示による指向性をもった表示機能が活かされない。また、実際に画像表示装置から各画像ごとに音声情報を出力するには、最低でも通常のディスプレイの倍の出力端子が必要になったり、配線が煩雑になったりと、鑑賞者に負担がかかるという問題が一例として挙げられる。
【課題を解決するための手段】
【０００８】
請求項１の発明にかかる画像表示装置は、表示面に対する視点の角度に応じて異なる画像を表示させるマルチビュー表示が可能な画像表示装置であって、送信用の情報を取得する取得手段と、前記取得手段によって取得した前記送信用の情報を可視光通信用の信号に変換する変換手段と、前記表示面に対して所定の角度で表示光を発光させる表示手段と、前記変換手段によって変換された前記信号に応じて前記表示光の発光制御をおこない、前記信号を送信させる制御手段と、を備えることを特徴とする。
【０００９】
また、請求項８の発明にかかる画像表示方法は、表示面に対する視点の角度に応じて異なる画像を表示させるマルチビュー表示が可能な画像表示装置の画像表示方法であって、  送信用の情報を取得する取得工程と、前記取得工程によって取得した前記送信用の情報を可視光通信用の信号に変換する変換工程と、前記変換工程によって変換された前記信号に応じて、前記表示面に対して所定の角度で表示光が発光するように発光制御し、前記信号を送信させる送信工程と、を含むことを特徴とする。
【００１０】
また、請求項９の発明にかかる画像表示プログラムは、請求項８に記載の画像表示方法をコンピュータに実行させることを特徴とする。
【００１１】
また、請求項１０の発明にかかる記録媒体は、請求項９に記載の画像表示プログラムをコンピュータに読み取り可能に記録したことを特徴とする。
【発明を実施するための最良の形態】
【００１２】
以下に添付図面を参照して、この発明にかかる画像表示装置、画像表示方法、画像表示プログラムおよび記録媒体の好適な実施の形態を詳細に説明する。
【００１３】
（画像表示装置の機能的構成）
まず、図１を用いてこの発明の本実施の形態の画像表示装置の機能的構成を説明する。図１は、この発明の本実施の形態の画像表示装置の機能的構成の一例を示すブロック図である。図１において、画像表示装置１００は、表示面に対する視点の角度に応じて異なる画像を表示させるマルチビュー表示が可能な画像表示装置であって、取得部１０１と、変換部１０２と、制御部１０３と、複数の表示部１０４と、抽出部１０５と、を含んで構成される。
【００１４】
取得部１０１は、画像表示装置１００によって出力させる画像または可視光通信用の情報を取得する。画像表示装置１００による出力とは、表示部１０４に画像を表示させる処理と、表示部１０４の表示光の発光制御をおこない可視光通信用の信号を送信する処理とを意味する。
【００１５】
具体的に説明すると、画像表示装置１００が、表示面に画像を表示させず、表示面に対して所定の角度に可視光通信用の信号を送信する処理のみをおこなう場合、取得部１０１は、送信用の情報を取得する。また、画像表示装置１００が、表示面に画像を表示させ、なおかつ表示させた画像の関連情報を可視光通信用の信号として送信する場合、取得部１０１は、表示面に表示させる画像と、この画像の関連情報とを取得する。関連情報とは、たとえば、画像に対応した音声情報などである。
【００１６】
また、画像表示装置１００は、マルチビュー表示が可能であるという性質上、複数の画像を同時に表示させることができる。そして、複数の画像を表示させた場合には、表示した各画像の関連情報を可視光通信用の信号として送信する。このような場合、取得部１０１は、複数の画像と、各画像の関連情報とを取得する。したがって、取得された複数の画像および関連情報は、それぞれ、表示させる角度ごとに、後述する複数の表示部１０４のうち、いずれか一つの表示部１０４によって表示処理させるかの設定がおこなわれる。
【００１７】
変換部１０２は、取得部１０１によって取得した送信用の情報を可視光通信用の信号に変換する。また、取得部１０１によって画像の関連情報を取得した場合には、この関連情報を可視光通信用の信号に変換する。
【００１８】
制御部１０３は、変換部１０２によって変換された可視光通信用の信号に応じて後述する表示部１０４によって表示させる表示光の発光制御をおこない、表示面から可視光通信用の信号を送信させる。なお、取得部１０１が画像を取得した場合には画像が表示された表示面の発光制御をおこなう。
【００１９】
また、取得部１０１が画像を取得していない、すなわち上述したような送信用の情報を取得した場合には、制御部１０３は、画像が表示されていない表示面によって、発光制御のみをおこなう。このような場合、通常、表示面は、光が点滅するのみであるが、制御部１０３によって、鑑賞者（この場合、正確には利用者）に可視光通信用の信号を送信中である旨を知らせる画像を表示させるよう制御させてもよい。
【００２０】
表示部１０４は、表示面に対して所定の角度で表示光を発光させる。具体的には、取得部１０１によって取得した画像を表示面に対して所定の角度の表示光で表示させる。また、表示部１０４によって表示される表示光は、制御部１０３によって発光制御される。具体的には、表示光が、所定のパターンで点滅をおこない（点滅の間隔が極めて短いため、画像の鑑賞者の視界には殆ど影響しない）、この点滅が可視光通信用の信号の送信処理に該当する。
【００２１】
なお、取得部１０１が送信用の情報のみを取得した場合は、上述したように、制御部１０３の制御にしたがい、表示部１０４は、所定の画像の表示光によって発光制御をおこなう。このように、画像の表示、可視光通信用の信号の送信、いずれの場合であっても、画像表示装置１００は、マルチビュー表示が可能であるため、表示面に対して所定の角度というような指向性をもった出力をおこなうことができる。
【００２２】
また、画像表示装置１００は、マルチビュー表示をおこなうため複数の表示部１０４を備えている。マルチビュー表示の性質上、各表示部１０４は、それぞれ表示面に対して所定の角度で表示光を発光させるが、この角度は、表示部１０４ごとに異なる角度で設定されている。
【００２３】
たとえば、一の表示部１０４は、表示面に対して右側に位置する鑑賞者に鑑賞させるため、一以外の他の表示部１０４は、表示面に対して左側に位置する鑑賞者に鑑賞させるための角度の設定がおこなわれる。なお、図１のブロック図に示した構成では画像表示装置１００は、一例として２つの表示部１０４を備えている。この２つの表示部１０４は、同一の表示面からそれぞれ異なる角度で表示光を発光させる機能部である。すなわち、画像表示装置１００は、複数の表示部１０４によって１枚の表示面の画像表示をおこなっていることとなる。また、取得部１０１によって取得された画像および関連情報または送信用の情報をいずれかの表示部１０４によって表示させるかの設定がされているが、この設定は鑑賞者によって変更することもできる。
【００２４】
抽出部１０５は、取得部１０１によって取得した画像からテキスト情報を抽出する。この抽出部１０５は、取得部１０１によって画像の関連情報が取得されなかった場合に用いられる。抽出されたテキスト情報は、関連情報として変換部１０２によって可視光通信用の信号に変換される。抽出部１０５によって抽出されるテキスト情報とは、具体的には、画像中に表示されている文字や、数字などである。
【００２５】
このように、本実施の形態にかかる画像表示装置１００は、マルチビュー表示が可能な表示面を用いて、この表示面に対して所定の角度に画像を表示させ、なおかつ画像と同じ角度に可視光通信用の信号を送信することができる。したがって、あらたな出力端子を設ける必要がなく、煩雑な配線処理をおこなう必要もない。
【００２６】
（画像表示装置１００の処理の内容）
つぎに、画像表示装置１００の処理の内容について説明する。図２は、この発明の本実施の形態の画像表示装置の処理の内容の一例を示すフローチャートである。図２のフローチャートにおいて、まず、表示部１０４に表示させる画像を取得したか否かを判断する（ステップＳ２０１）。ここで、画像を取得すると（ステップＳ２０１：Ｙｅｓ）、続いて取得した画像の関連情報を取得したか否かを判断する（ステップＳ２０２）。
【００２７】
ステップＳ２０２において、関連情報を取得した場合は（ステップＳ２０２：Ｙｅｓ）、関連情報を可視光通信用の信号によって送信するため、ステップＳ２０４の処理に移行する。一方、ステップＳ２０２において、関連情報を取得しなかった場合は（ステップＳ２０２：Ｎｏ）、ステップＳ２０１によって取得した画像からテキスト情報を抽出し（ステップＳ２０３）。このテキスト情報を関連情報とする。
【００２８】
ステップＳ２０２もしくはステップＳ２０３の処理によって関連情報が取得されると、続いて、変換部１０２によって関連情報を可視光通信用の信号に変換する（ステップＳ２０４）。制御部１０３は、取得部１０１によって取得した画像を表示部１０４に表示させる（ステップＳ２０５）とともに、ステップＳ２０４による変換後の信号に応じて、表示部１０４の表示光を制御し（ステップＳ２０６）、一連の処理を終了する。このようにして表示部１０４は、画像を表示させるとともに、関連情報を可視光通信用の信号として送信させる。
【００２９】
また、ステップＳ２０１において、画像を取得しなかった場合は（ステップＳ２０１：Ｎｏ）、画像表示装置１００は、表示部１０４に画像を表示させずに所定の角度に表示光を発光させる、すなわち指向性をもった可視光通信のみをおこなう画像表示装置１００として機能する。
【００３０】
可視光通信のみをおこなう場合、まず、取得部１０１によって送信用の情報を取得したか否かを判断する（ステップＳ２０７）。ここで、送信用の情報が取得されない場合は（ステップＳ２０７：Ｎｏ）、送信する情報がないためそのまま一連の処理を終了する。
【００３１】
ステップＳ２０７において送信用の情報を取得した場合は（ステップＳ２０７：Ｙｅｓ）、変換部１０２において送信用の情報を可視光通信用の信号に変換する（ステップＳ２０８）。制御部１０３は、ステップＳ２０８によって変換後の信号に応じて表示部１０４の表示光を制御し（ステップＳ２０６）、一連の処理を終了する。このように、ステップＳ２０６の処理により表示部１０４の表示光の発光が制御されると、すなわち可視光通信用の信号が送信された状態となる。
【００３２】
鑑賞者は、可視光通信用の信号を受信する手段を用意するだけで、画像表示装置１００による表示画像の鑑賞だけでなく、可視光通信用の信号として送信された情報を受信することにより、ワイヤレスの環境下で画像の関連情報（または送信用の情報）を取得することができる。
【００３３】
以上説明したように、この実施の形態にかかる画像表示装置１００は、マルチビュー表示可能な表示面の表示光を制御して可視光通信用の信号を送信することで容易にあらたな情報を出力することができる。また、表示面に画像を表示させない場合であっても、表示光の発光制御により、可視光通信用の信号を、指向性をもった信号として所定の受信者のみに送信することができる。
【実施例】
【００３４】
以下にこの発明の実施例について説明する。ここでは、この実施の形態にかかる画像表示装置１００を、たとえば車両（四輪車、二輪車を含む）などの移動体に搭載されるナビゲーション装置に適用し、運転席の搭乗者と助手席の搭乗者とに（二輪であれば、運転者と側車の搭乗者）、それぞれ異なる画像を表示させ、さらに表示された画像の関連情報を運転者と搭乗者のそれぞれに送信するような場合を例示して説明する。
【００３５】
（ナビゲーション装置のハードウェア構成）
まず、本発明の実施例にかかるナビゲーション装置３００のハードウェア構成について説明する。図３は、本発明の実施例にかかるナビゲーション装置のハードウェア構成の一例を示すブロック図である。図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ（インターフェース）３１２と、マルチビューディスプレイ３１３と、通信Ｉ／Ｆ（インターフェース）３１４と、ＧＰＳユニット３１５と、各種センサ３１６と、カメラ３１７を備えている。なお、各構成部３０１〜３１７はバス３２０によってそれぞれ接続されている。
【００３６】
ＣＰＵ３０１は、ナビゲーション装置３００の全体の制御を司る。ＲＯＭ３０２は、たとえばブートプログラム、経路探索プログラム、経路誘導プログラム、音声生成プログラム、地図情報表示プログラム、通信プログラム、データベース作成プログラム、データ解析プログラム、画像表示プログラムなどの各種プログラムを記録している。
【００３７】
経路探索プログラムは、後述する光ディスク３０７に記録されている地図情報などを利用して、出発地から目的地までの最適な経路を探索させる。ここで、最適な経路とは、目的地までの最短（あるいは最速）経路や利用者（鑑賞者）が指定した条件にもっとも合致する経路などである。この経路探索プログラムを実行することによって探索された誘導経路は、たとえばＣＰＵ３０１を介して音声Ｉ／Ｆ３０８や映像Ｉ／Ｆ３１２へ出力される。
【００３８】
また、経路誘導プログラムは、上述した経路探索プログラムを実行することによって探索された誘導経路情報、通信Ｉ／Ｆ３１４によって取得されたナビゲーション装置３００の現在位置、光ディスク３０７から読み出された地図情報に基づいて、リアルタイムな経路誘導情報の生成をおこなわせる。経路誘導プログラムを実行することによって生成された経路誘導情報は、たとえばＣＰＵ３０１を介して音声Ｉ／Ｆ３０８や映像Ｉ／Ｆ３１２へ出力される。
【００３９】
また、音声生成プログラムは、音声パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせ、たとえば生成された音声ガイダンス情報をＣＰＵ３０１を介して音声Ｉ／Ｆ３０８へ出力させる。
【００４０】
また、地図情報表示プログラムは、映像Ｉ／Ｆ３１２によってマルチビューディスプレイ３１３に表示する地図情報の表示形式を決定させ、決定された表示形式によって地図情報をマルチビューディスプレイ３１３に表示させる。
【００４１】
また、画像表示プログラムは、後述する磁気ディスク３０５、光ディスク３０７、通信Ｉ／Ｆ３１４またはカメラ３１７から画像と画像の関連情報を取得し、ＣＰＵ３０１を介してマルチビューディスプレイ３１３の表示光を制御し、画像を表示させるとともに可視光通信用の信号を送信させる。
【００４２】
ＲＡＭ３０３は、たとえばＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記録する。
【００４３】
光ディスクドライブ３０６は、ＣＰＵ３０１の制御にしたがって光ディスク３０７に対するデータのリード／ライトを制御する。光ディスク３０７は、光ディスクドライブ３０６の制御にしたがってデータが読み出される着脱自在な記録媒体である。この光ディスク３０７としては、書き込み可能な記録媒体を利用することもできる。また、着脱可能な記録媒体として、光ディスク３０７のほか、ＭＯ、メモリカードなどを用いることもできる。
【００４４】
また、音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。なお、スピーカ３１０は、車両の内部だけでなく、車両の外部に設けられていてもよい。このスピーカ３１０からは、音声Ｉ／Ｆ３０８からの音声信号に基づく音声が出力される。また、マイク３０９から入力された音声は、たとえば音声データとして磁気ディスク３０５あるいは光ディスク３０７に記録可能である。
【００４５】
そして、入力デバイス３１１は、文字、数値、各種指示などの入力のための複数のキーを備えたリモコン、キーボード、マウス、タッチパネルなどが挙げられる。
【００４６】
また、映像Ｉ／Ｆ３１２は、マルチビューディスプレイ３１３と接続される。この映像Ｉ／Ｆ３１２は、具体的には、たとえば、マルチビューディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、マルチビューディスプレイ３１３を表示制御する制御ＩＣなどによって構成される。
【００４７】
マルチビューディスプレイ３１３には、アイコン、カーソル、メニュー、ウインドウ、あるいは文字や画像などの各種データが表示される。このマルチビューディスプレイ３１３としては、たとえば、ＣＲＴ、ＴＦＴ液晶ディスプレイ、プラズマディスプレイなどを採用することができる。
【００４８】
また、マルチビューディスプレイ３１３は、画像表示プログラムによる表示光制御に応じて、表示面に画像を表示するとともに表示光の明るさに関するパラメータを変化させることができる。この変化のサイクルやタイミングは、可視光通信用に利用される信号の種類に依存する。
【００４９】
また、通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００５０】
ネットワークには、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）／ビーコンレシーバ、無線ナビゲーション装置、およびその他のナビゲーション装置によって構成され、ＶＩＣＳセンターから配信される渋滞や交通規制などの道路交通情報を取得する。
【００５１】
また、ＧＰＳユニット３１５は、ＧＰＳ衛星からの受信波や後述する各種センサ３１６からの出力値を用いて、車両の現在位置（ナビゲーション装置３００の現在位置）を示す位置情報を算出する。現在位置を示す位置情報は、たとえば、緯度・経度、高度などの地図情報上の１点を特定する情報である。また、ＧＰＳユニット３１５は、各種センサ３１６からの出力値を用いて、オドメーター、速度変化量、方位変化量などを出力する。これにより、急ブレーキ、急ハンドルなどの車両の動態を解析することができる。
【００５２】
各種センサ３１６は、車速センサ、加速度センサ、角速度センサ、方位センサ、光センサなどであり、その出力値は、ＧＰＳユニット３１５による位置情報の算出や、速度や方位の変化量の測定などに用いられる。
【００５３】
カメラ３１７は、ナビゲーション装置３００が搭載された車両に備えられた撮影装置である。具体的には、後続車、駐車場の駐車マスまたは隣接車両などを撮影し運転支援をおこなうための画像を取得する。また、カメラは、通常の可視光カメラの他に赤外線カメラを用いてもよい。
【００５４】
なお、図１に示した実施の形態にかかる画像表示装置１００の機能的構成である取得部１０１は、具体的には、たとえばＣＰＵ３０１、磁気ディスク３０５、光ディスク３０７、通信Ｉ／Ｆ３１４、各種センサ３１６およびカメラ３１７によってその機能を実現する。また、変換部１０２、制御部１０３および抽出部１０５は、具体的には、たとえばＣＰＵ３０１、ＲＯＭ３０２およびＲＡＭ３０３によって、それぞれの機能を実現する。また、表示部１０４は、具体的には、たとえば、ＣＰＵ３０１、映像Ｉ／Ｆ３１２、マルチビューディスプレイ３１３によってその機能を実現する。
【００５５】
（可視光通信送信部の機能的構成）
つぎに、図３に示したナビゲーション装置３００における可視光通信用の信号を送信する機能、すなわち可視光通信送信部の機能的構成について説明する。図４は、可視光通信送信部の機能的構成の一例を示す説明図である。図４に示すように、可視光通信送信部４００は、表示制御部４０１と、画像切替部４０２と、テキスト情報供給部４０３と、によって構成されている。これらの４０１〜４０３の構成は、ナビゲーション装置３００のＣＰＵ３０１、ＲＯＭ３０２およびＲＡＭ３０３によって、それぞれの機能を実現している。
【００５６】
また、可視光通信送信部４００は、磁気ディスクドライブ３０４と、入力デバイス３１１と、通信Ｉ／Ｆ３１４と、各種センサ３１６と、カメラ３１７とに接続され、マルチビューディスプレイ３１３に表示用の画像または送信用の情報を可視光通信用の信号として出力する。
【００５７】
表示制御部４０１は、入力デバイス３１１や、各種センサ３１６から利用者の指示を取得し、取得した操作にしたがって、可視光通信送信部４００の送信処理をおこなう。表示制御部４０１は、上述したようにＣＰＵ３０１、ＲＯＭ３０２およびＲＡＭ３０３によって実現してもよいが、ＥＣＵ（Ｅｌｅｃｔｏｒｏｎｉｃ  Ｃｏｎｔｒｏｌ  Ｕｎｉｔ）や、ＧＤＣ（Ｇｒａｐｈｉｃｓ  Ｄｉｓｐｌａｙ  Ｃｏｎｔｒｏｌｌｅｒ）とよばれる制御用のコンピュータを搭載してもよい。
【００５８】
ＥＣＵは、自動車に搭載されているデバイスを電子制御する専用のコンピュータである。また、ＧＤＣは、取得したデータによる描画処理を制御するコンピュータである。ＣＰＵに替わり、ＧＤＣに描画処理をおこなわせることによって、ＣＰＵがおこなうはずの作業を軽減できるので、ナビゲーション装置３００そのものの処理能力を向上させることができる。
【００５９】
画像切替部４０２は、マルチビューディスプレイ３１３に表示させる画像の切り替えをおこなう。画像切替部４０２は、マルチビューディスプレイ３１３に表示させる画像を取得するために、磁気ディスクドライブ３０４と、通信Ｉ／Ｆ３１４と、カメラ３１７とが接続されている。また、画像切替部４０２は、入力デバイス３１１と、各種センサ３１６からの画像切り替えの指示を受け付けるため、表示制御部４０１に接続されている。したがって、表示制御部４０１を介して取得した入力デバイス３１１もしくは各種センサ３１６からの指示に応じて磁気ディスクドライブ３０４、通信Ｉ／Ｆ３１４およびカメラ３１７のいずれかから画像を取得するかの切り替えをおこなう。
【００６０】
テキスト情報供給部４０３は、表示制御部４０１の制御に応じて、画像切替部４０２からマルチビューディスプレイ３１３に表示させる画像を取得すると、この画像からテキスト情報を抽出し、テキスト情報をマルチビューディスプレイ３１３の表示ドライバ４０４に供給する。
【００６１】
なお、画像切替部４０２が取得した画像にあらかじめ音声情報が用意され、画像と同時に取得可能な場合は、この音声情報を可視光通信用の信号として表示ドライバ４０４に供給してもよい。しかしながら、音声情報は情報量が多いため、可視光通信用の信号の形式によっては、そのままでは可視光通信用の信号として送信できない場合がある。したがって、音声情報が用意されている場合であっても、この音声情報からテキスト情報を抽出し、可視光通信用の信号として送信可能な情報量に調整した信号を送信してもよい。
【００６２】
上述したような手順によって取得された画像およびテキスト情報（音声情報の場合もある）は、マルチビューディスプレイ３１３に送られ、後述する表示ドライバ４０４の制御に応じて、それぞれ表示もしくは発光がおこなわれる。
【００６３】
ここで、マルチビューディスプレイ３１３の詳細な構成について説明する。マルチビューディスプレイ３１３は、表示ドライバ４０４と、ＬＥＤ１およびＬＥＤ２と、ＬＥＤ１用の導光板４０５と、ＬＥＤ２用の導光板４０６と、液晶４０７と、を含んで構成される。
【００６４】
表示ドライバ４０４は、画像切替部４０２からマルチビューディスプレイ３１３に表示させる画像を取得する。また、表示ドライバ４０４は、テキスト情報供給部４０３から関連情報を取得し、取得した関連情報をマルチビューディスプレイ３１３によって可視光通信によって送信するため可視光通信用の信号に変換する。
【００６５】
上述したように、表示ドライバ４０４が取得した画像および関連情報はマルチビューディスプレイ３１３から所定の角度で表示される。ここでは、ＬＥＤ１によって発光された表示光を液晶４０７に照射する導光板４０５と、ＬＥＤ２によって発光された表示光を液晶４０７に照射する導光板４０６とによって画像が左右異なる角度に表示される。
【００６６】
導光板４０５から発光された表示光は、実線で表したように左側の、すなわち日本では助手席の搭乗者に向けて表示される。一方、導光板４０６から発光された表示光は、破線で表したように右側の、すなわち日本では運転席の搭乗者に向けて表示される。
【００６７】
以上説明したような構成を用いてナビゲーション装置３００は、可視光通信送信部４００を実現し、マルチビューディスプレイ３１３に画像を表示させるとともに、可視光通信用の信号を送信させることができる。
【００６８】
（マルチビューディスプレイの発光制御）
つぎに、図５を用いてマルチビューディスプレイ３１３の発光制御について説明する。図５は、マルチビューディスプレイの発光制御を説明するモデル図である。
【００６９】
図５にはＬＥＤ１およびＬＥＤ２の表示のタイミングと液晶４０７に表示させている表示画像の一例を示している。図５に示したＬＥＤ１の波形５０１，５０３と、ＬＥＤの波形５０２から明らかなように、表示面からはＬＥＤ１の表示光とＬＥＤ２の表示光とが交互に発光されている。
【００７０】
図５に示した例において、波形５０１と、波形５０３とによる発光がおこなわれると、表示面には助手席の搭乗者向けの画像５１１，５１３を表示される。また、波形５０２による発光がおこなわれると、表示面には、運転席の搭乗者向けの画像５１２が表示される。
【００７１】
助手席の搭乗者向けの画像５１１，５１３として具体的には、たとえば、通信Ｉ／Ｆ３１４（図３参照）を介して取得したテレビ放送の画像やウェブサイトの画像、または光ディスク３０７（図３参照）から読み出したコンテンツの画像などが挙げられる。また、運転席の搭乗者向けの画像５１２として具体的には、たとえば、ＲＯＭ３０２に記録されている経路探索プログラム、経路誘導プログラムおよび地図情報表示プログラムによって生成されたナビゲーション関連画像や、各種センサ３１６またはカメラ３１７によって取得された画像などが挙げられる。
【００７２】
また、各波形５０１〜５０３は、図５のモデル図では１まとまりの方形波であるが、実際には、関連情報や送信用の情報を可視光通信用に変換した信号の集合体によって構成されている。
【００７３】
具体的には、たとえば、関連情報や送信用の情報をＰＣＭ（Ｐｕｌｓｅ  Ｃｏｄｅ  Ｍｏｄｕｌａｔｉｏｎ）などの方式で符号化した信号によって構成されている。ＰＣＭとは、音声などのアナログ信号をデジタルデータに変換する方式の一つであり、信号を一定時間ごとに標本化（サンプリング）し、定められたビット数の整数値に量子化する。
【００７４】
このような変換処理は、図５に示した表示ドライバ４０４においておこなわれている。したがって、図５に示したモデル図の場合、波形５０１，５０３は、画像５１１，５１３の音声情報を表す信号によって構成されており、波形５０２は、画像５１２の音声情報を表す信号によって構成されている。このようにして、マルチビューディスプレイ３１３は、画像を表示すると共に、可視光通信用の信号を送信している。
【００７５】
（可視光通信受信部の機能的構成）
つぎに、ナビゲーション装置３００のマルチビューディスプレイ３１３から出力された可視光を受信する可視光通信受信部の機能的構成を説明する。図６は、可視光通信受信部の機能的構成の一例を示すブロック図である。
【００７６】
ここでは、可視光通信受信部が、四輪車の運転席と助手席とに搭載された場合について説明するが、可視光通信受信部の搭載例や、構成は後述する内容に限定されるものではない。本実施例では、可視光通信受信部の一例として、ナビゲーション装置３００のマルチビューディスプレイ３１３から出力された可視光を受信して取得した関連情報から音声を合成し、表示画像の鑑賞者に合成した音声を出力するような構成の場合について説明する。
【００７７】
図６のように、可視光通信受信部６００は、四輪車の運転席６０１ａの搭乗者と、助手席６０１ｂの搭乗者とにそれぞれ表示中の画像の関連情報を送信する場合の構成を示している。運転席６０１ａは、受光素子６０２ａと、テキスト抽出部６０３ａと、音声合成部６０４ａと、スピーカ６０５ａとを備えている。同様に、助手席６０１ｂは、受光素子６０２ｂと、テキスト抽出部６０３ｂと、音声合成部６０４ｂと、スピーカ６０５ｂとを備えている。
【００７８】
受光素子６０２ａ／６０２ｂは、マルチビューディスプレイ３１３の表示光を受光し、光の強度に応じて電気信号に変換する。テキスト抽出部６０３ａ／６０３ｂは、受光素子６０２ａ／６０２ｂによって電気信号に変換された送信情報からテキスト情報を抽出する。音声合成部６０４ａ／６０４ｂは、テキスト抽出部６０３ａ／６０３ｂによって抽出されたテキスト情報から音声情報を合成する。音声合成には具体的には、ＴＴＳ（Ｔｅｘｔ  Ｔｏ  Ｓｐｅｅｃｈ）などの技術を用いる。スピーカ６０５ａ／６０５ｂは、音声合成部６０４ａ／６０４ｂによって合成された音声を出力する。
【００７９】
以上のような処理によってナビゲーション装置３００のマルチビューディスプレイ３１３から出力された可視光通信用の信号（関連情報）は、鑑賞者に出力される。なお、可視光通信によって送信された情報があらかじめ音声情報である場合は、テキスト抽出部６０３ａ／６０３ｂおよび音声合成部６０４ａ／６０４ｂの処理をおこなわずに受光素子６０２ａ／６０２ｂによって変換した電気信号を直接送ってもよい。
【００８０】
以上説明したように、本発明にかかる画像表示装置、画像表示方法、画像表示プログラムおよび記録媒体によれば、あらたな出力端子を用意せず所定の画像の鑑賞者にのみ、あらたな情報を送信することができる。また、マルチビュー表示機能を備えた画像表示装置を用いることで、複数の鑑賞者にそれぞれ適した画像を表示させ、なおかつ表示した画像の関連情報を送信することができる。情報を送信する際には、可視光通信を用いているため、配線が複雑になるような事態も防止できる。すなわち、利用者に負担をかけることなく、所定の場所に位置する鑑賞者を送信対象とするなど、指向性をもった情報提供をおこなうことができる。
【００８１】
なお、本実施の形態で説明した画像表示方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８２】
【図１】この発明の本実施の形態の画像表示装置の機能的構成の一例を示すブロック図である。
【図２】この発明の本実施の形態の画像表示装置の処理の内容の一例を示すフローチャートである。
【図３】本発明の実施例にかかるナビゲーション装置のハードウェア構成の一例を示すブロック図である。
【図４】可視光通信送信部の機能的構成の一例を示す説明図である。
【図５】マルチビューディスプレイの発光制御を説明するモデル図である。
【図６】可視光通信受信部の機能的構成の一例を示すブロック図である。
【符号の説明】
【００８３】
１００  画像表示装置
１０１  取得部
１０２  変換部
１０３  制御部
１０４  表示部
１０５  抽出部
【図１】
2008046214.tif 000003
【図２】
2008046214.tif 000004
【図３】
2008046214.tif 000005
【図４】
2008046214.tif 000006
【図５】
2008046214.tif 000007
【図６】
2008046214.tif 000008